(57)【要約】【課題】加熱回転体を通る磁束を適正に低減させ又は遮蔽することができる定着装置を提供すること。【解決手段】加熱回転体９ａと、加圧回転体９ｂと、誘導コイル７１と、磁性体コア部７２を備え、磁性体コア部７２は、加熱回転体９ａの外周面に対向する１又は複数の固定コア部７４ａ、７４ｂと、加熱回転体９ａの上方に加熱回転ベルト９３の外周面から所定距離離間して配置される第１コア部材７３９及び第１コア部材７３９の外面の一部を覆うように配置される第１磁束遮蔽部材７７を有する第１可動コア部７３と、加熱回転ベルト９３の外周面から所定距離離間して配置される第２コア部材７５１及び第２コア部材７５１の外面の一部を覆うように配置される第２磁束遮蔽部材７８を有する第２可動コア部７５と、を有する。【選択図】図４
2012068283.tif 000002
【特許請求の範囲】
【請求項１】
電磁誘導を利用した電磁誘導加熱により発熱される環状の加熱回転体と、
前記加熱回転体に対向して配置される環状でありまた加熱回転体との間で定着ニップを形成する加圧回転体と、
前記加熱回転体の外面から所定距離離間して前記外面に沿って配置され、線材を巻き回して形成されて前記加熱回転体を発熱させるための磁束を発生させる誘導コイルと、
前記誘導コイルにおける内周縁の内側と外周縁の外側とを通り該誘導コイルを囲むように周回する磁路を形成する磁性体コア部であって、
前記誘導コイルを挟んで前記加熱回転体の外面に対向する１又は複数の固定コア部と、
前記磁路の周回方向において前記１又は複数の固定コア部と並んで前記誘導コイルの内周縁の近傍に配置され、前記誘導コイルを挟まずに前記加熱回転体の外面から所定距離離間して配置される第１コア部材と、前記第１コア部材の外面の一部を覆うように配置される磁束を低減させ又は遮蔽する第１磁束遮蔽部材と、を有する第１可動コア部と、
前記磁路の周回方向において前記１又は複数の固定コア部と並んで前記誘導コイルの外周縁の近傍に配置され、前記誘導コイルを挟まずに前記加熱回転体の外面から所定距離離間して配置される第２コア部材と、前記第２コア部材の外面における一部を覆うように配置される磁束を低減させ又は遮蔽する第２磁束遮蔽部材と、を有する第２可動コア部と、を有する磁性体コア部と、を備える
定着装置。
【請求項２】
前記第１磁束遮蔽部材が前記加熱回転体の外面に対向して磁束を低減させ又は遮蔽する第１遮蔽位置と、前記第１磁束遮蔽部材が前記加熱回転体の外面に対向せずに磁束を低減せず又は遮蔽しない第１非遮蔽位置とに配置可能に、前記第１可動コア部を第１可動コア回転軸を中心に回転させる第１回転駆動部と、
前記第２磁束遮蔽部材が前記加熱回転体の外面に対向して磁束を低減させ又は遮蔽する第２遮蔽位置と、前記第２磁束遮蔽部材が前記加熱回転体の外面に対向せずに磁束を低減せず又は遮蔽しない第２非遮蔽位置とに配置可能に、前記第２可動コア部を第２可動コア回転軸を中心に回転させる第２回転駆動部と、
前記第１可動コア部における前記第１磁束遮蔽部材の位置を調整するよう前記第１回転駆動部を制御すると共に、前記第２可動コア部における前記第２磁束遮蔽部材の位置を調整するよう前記第２回転駆動部を制御する駆動制御部と、を備える
請求項１に記載の定着装置。
【請求項３】
前記駆動制御部は、前記加熱回転体を通る磁束の磁束密度を調整するように前記第１回転駆動部及び前記第２回転駆動部を制御する
請求項２に記載の定着装置。
【請求項４】
シート状の被転写材に画像を形成する画像形成部と、
前記画像形成部により画像が形成される前記被転写材のサイズに関する情報であるサイズ情報を含む画像形成指示情報を受け付け可能な受け付け部と、
請求項２又は３に記載の定着装置と、を備え、
前記駆動制御部は、
前記受け付け部に受け付けられた前記被転写材の前記サイズ情報に基づいて、前記第１磁束遮蔽部材が前記第１遮蔽位置又は前記第１非遮蔽位置に位置するように前記第１可動コア部を回転させるよう前記第１回転駆動部を制御すると共に、前記第２磁束遮蔽部材が前記第２遮蔽位置又は前記第２非遮蔽位置に位置するように前記第２可動コア部を回転させるよう前記第２回転駆動部を制御する
画像形成装置。
【発明の詳細な説明】
【技術分野】
【０００１】
本発明は、定着装置及びこれを備える画像形成装置に関する。
【背景技術】
【０００２】
従来より、画像形成装置に使用される用紙に画像を定着させる定着装置として、加熱回転体と、加熱回転体との間でトナー画像が転写された用紙を挟持して定着ニップを形成する加圧回転体と、加熱回転体を加熱するハロゲンランプ等のヒータと、を備える定着装置が使用されている。
【０００３】
ところで、近年、定着装置における加熱回転体を加熱する方式として、電磁誘導を利用した電磁誘導加熱（ＩＨ；ｉｎｄｕｃｔｉｏｎ  ｈｅａｔｉｎｇ）により加熱する方式が使用される場合がある。電磁誘導加熱（ＩＨ）方式を用いた定着装置によれば、ハロゲンランプを使用した加熱方式と比較して、急速な加熱が可能であると共に加熱の効率が高いという利点がある。
【０００４】
電磁誘導加熱方式の定着装置においては、定着装置に搬送（通紙）される被転写材としての用紙の幅（通紙幅）に合わせて、用紙が定着装置の定着ニップに搬送される場合における用紙が通過する通紙領域の外側の領域（非通紙領域）における加熱回転体の温度が過度に上昇することを抑制するために非通紙領域と通紙領域とにおける加熱回転体の発熱量を調整することができる技術が提案されている（例えば、特許文献１参照）。
【０００５】
特許文献１に記載される定着装置においては、磁性体コア部は、誘導コイルの内周縁の近傍において磁路を形成するフェライト製のセンターコア（第１コア部材）を有する。磁束遮蔽部材は、センターコアの外周面の一部を覆うように配置されると共に、第１可動コア部の回転によりセンターコアと一体的に回転される。
【０００６】
特許文献１に記載される定着装置は、センターコアと磁束遮蔽部材とを一体的に回転させることで、用紙の各サイズの通紙幅に応じて非通紙領域と通紙領域とにおける加熱回転体の発熱量を調整する。
【先行技術文献】
【特許文献】
【０００７】
【特許文献１】特開２０１０−２６２４６号公報
【発明の概要】
【発明が解決しようとする課題】
【０００８】
特許文献１に記載される定着装置においては、センターコアの外周面の一部を覆うように配置された磁束遮蔽部材は、センターコアを通過する２つの磁束を十分に遮蔽することができない可能性があった。
従って、用紙の通紙領域の外側の非通紙領域において、加熱回転体を通る磁束を適正に低減させ又は遮蔽することができる定着装置が望まれている。
【０００９】
本発明は、加熱回転体を通る磁束を適正に低減させ又は遮蔽することができる定着装置を提供することを目的とする。
また、本発明は、前記定着装置を備える画像形成装置を提供することを目的とする。
【課題を解決するための手段】
【００１０】
本発明は、電磁誘導を利用した電磁誘導加熱により発熱される環状の加熱回転体と、前記加熱回転体に対向して配置される環状でありまた加熱回転体との間で定着ニップを形成する加圧回転体と、前記加熱回転体の外面から所定距離離間して前記外面に沿って配置され、線材を巻き回して形成されて前記加熱回転体を発熱させるための磁束を発生させる誘導コイルと、前記誘導コイルにおける内周縁の内側と外周縁の外側とを通り該誘導コイルを囲むように周回する磁路を形成する磁性体コア部であって、前記誘導コイルを挟んで前記加熱回転体の外面に対向する１又は複数の固定コア部と、前記磁路の周回方向において前記１又は複数の固定コア部と並んで前記誘導コイルの内周縁の近傍に配置され、前記誘導コイルを挟まずに前記加熱回転体の外面から所定距離離間して配置される第１コア部材と、前記第１コア部材の外面の一部を覆うように配置される磁束を低減させ又は遮蔽する第１磁束遮蔽部材と、を有する第１可動コア部と、前記磁路の周回方向において前記１又は複数の固定コア部と並んで前記誘導コイルの外周縁の近傍に配置され、前記誘導コイルを挟まずに前記加熱回転体の外面から所定距離離間して配置される第２コア部材と、前記第２コア部材の外面における一部を覆うように配置される磁束を低減させ又は遮蔽する第２磁束遮蔽部材と、を有する第２可動コア部と、を有する磁性体コア部と、を備える定着装置に関する。
【００１１】
また、前記第１磁束遮蔽部材が前記加熱回転体の外面に対向して磁束を低減させ又は遮蔽する第１遮蔽位置と、前記第１磁束遮蔽部材が前記加熱回転体の外面に対向せずに磁束を低減せず又は遮蔽しない第１非遮蔽位置とに配置可能に、前記第１可動コア部を第１可動コア回転軸を中心に回転させる第１回転駆動部と、前記第２磁束遮蔽部材が前記加熱回転体の外面に対向して磁束を低減させ又は遮蔽する第２遮蔽位置と、前記第２磁束遮蔽部材が前記加熱回転体の外面に対向せずに磁束を低減せず又は遮蔽しない第２非遮蔽位置とに配置可能に、前記第２可動コア部を第２可動コア回転軸を中心に回転させる第２回転駆動部と、前記第１可動コア部における前記第１磁束遮蔽部材の位置を調整するよう前記第１回転駆動部を制御すると共に、前記第２可動コア部における前記第２磁束遮蔽部材の位置を調整するよう前記第２回転駆動部を制御する駆動制御部と、を備えることが好ましい。
【００１２】
また、前記駆動制御部は、前記加熱回転体を通る磁束の磁束密度を調整するように前記第１回転駆動部及び前記第２回転駆動部を制御することが好ましい。
【００１３】
また、本発明は、前記被転写材に画像を形成する画像形成部と、前記画像形成部により画像が形成される前記被転写材のサイズに関する情報であるサイズ情報を含む画像形成指示情報を受け付け可能な受け付け部と、前記定着装置と、を備え、前記駆動制御部は、前記受け付け部に受け付けられた前記被転写材の前記サイズ情報に基づいて、前記第１磁束遮蔽部材が前記第１遮蔽位置又は前記第１非遮蔽位置に位置するように前記第１可動コア部を回転させるよう前記第１回転駆動部を制御すると共に、前記第２磁束遮蔽部材が前記第２遮蔽位置又は前記第２非遮蔽位置に位置するように前記第２可動コア部を回転させるよう前記第２回転駆動部を制御する画像形成装置に関する。
【発明の効果】
【００１４】
本発明によれば、加熱回転体を通る磁束を適正に低減させ又は遮蔽することができる定着装置を提供することができる。
また、本発明によれば、前記定着装置を備える画像形成装置を提供することができる。
【図面の簡単な説明】
【００１５】
【図１】本発明の第１実施形態のプリンタ１の各構成要素の配置を説明するための図である。
【図２】第１実施形態のプリンタ１の定着装置９の各構成要素を説明するための断面図である。
【図３】図２に示す加熱ユニット７０を用紙Ｔの搬送方向Ｄ１から視た図である。
【図４】第１磁束遮蔽部材７７、第２磁束遮蔽部材７８及び第３磁束遮蔽部材７９に関連する構成を示す模式図である。
【図５】本実施形態のプリンタ１における第１磁束遮蔽部材７７、第２磁束遮蔽部材７８及び第３磁束遮蔽部材７９の形状を示す図である。
【図６】第１実施形態における第１回転駆動部１５５、第２回転駆動部１５４ａ及び第３回転駆動部１５４ｂに関連する構成を説明する図である。
【図７Ａ】第１磁束遮蔽部材７７、第２磁束遮蔽部材７８及び第３磁束遮蔽部材７９の全てが遮蔽位置に位置する場合を説明するための断面図である。
【図７Ｂ】第１磁束遮蔽部材７７、第２磁束遮蔽部材７８及び第３磁束遮蔽部材７９の全てが非遮蔽位置に位置する場合を説明するための断面図である。
【図８】第２実施形態のプリンタ１における定着装置９の各構成要素を説明するための断面図である。
【図９】第３実施形態のプリンタ１における定着装置９の各構成要素を説明するための断面図である。
【発明を実施するための形態】
【００１６】
以下、図面を参照して本発明の実施形態を説明する。
図１により、第１実施形態における画像形成装置としてのプリンタ１の全体構造を説明する。図１は、本発明の第１実施形態のプリンタ１の各構成要素の配置を説明するための図である。
【００１７】
図１に示すように、第１実施形態における画像形成装置としてのプリンタ１は、装置本体Ｍと、所定の画像情報に基づいてシート状の被転写材としての用紙Ｔに所定のトナー画像を形成する画像形成部ＧＫと、用紙Ｔを画像形成部ＧＫにむけて給紙すると共にトナー画像が形成された用紙Ｔを排紙する給排紙部ＫＨとを有する。
装置本体Ｍの外形は、筐体としてのケース体ＢＤにより構成される。
【００１８】
図１に示すように、画像形成部ＧＫは、像担持体（感光体）としての感光体ドラム２と、帯電部１０と、露光ユニットとしてのレーザスキャナユニット４と、現像器１６と、トナーカートリッジ５と、トナー供給部６と、ドラムクリーニング部１１と、除電器１２と、転写部としての転写ローラ８と、定着装置９とを備える。
【００１９】
図１に示すように、給排紙部ＫＨは、給紙カセット５２と、用紙Ｔの搬送路Ｌと、レジストローラ対８０と、排紙部５０とを備える。
【００２０】
以下、画像形成部ＧＫ及び給排紙部ＫＨの各構成について詳細に説明する。
まず、画像形成部ＧＫについて説明する。
画像形成部ＧＫにおいては、感光体ドラム２の表面に沿って順に、上流側から下流側に順に、帯電部１０による帯電、レーザスキャナユニット４による露光、現像器１６による現像、転写ローラ８による転写、除電器１２による除電、及びドラムクリーニング部１１によるクリーニングが行われる。
【００２１】
感光体ドラム２は、円筒形状の部材からなり、感光体又は像担持体として機能する。感光体ドラム２は、搬送路Ｌにおける用紙Ｔの搬送方向に対して直交する方向に延びる回転軸を中心に、矢印の方向に回転可能に配置される。感光体ドラム２の表面には、静電潜像が形成され得る。
【００２２】
帯電部１０は、感光体ドラム２の表面に対向して配置される。帯電部１０は、感光体ドラム２の表面を一様に負（マイナス極性）又は正（プラス極性）に帯電させる。
【００２３】
レーザスキャナユニット４は、露光ユニットとして機能するものであり、感光体ドラム２の表面から離間して配置される。
レーザスキャナユニット４は、ＰＣ（パーソナルコンピュータ）等の外部機器から入力された画像情報に基づいて、感光体ドラム２の表面を走査露光する。レーザスキャナユニット４により走査露光されることで、感光体ドラム２の表面に静電潜像が形成される。
【００２４】
現像器１６は、感光体ドラム２に対応して設けられ、感光体ドラム２の表面に対向して配置される。現像器１６は、感光体ドラム２に形成された静電潜像を単色（通常はブラック）のトナーを用いて現像して、単色のトナー画像を感光体ドラム２の表面に形成する。現像器１６は、感光体ドラム２の表面に対向配置された現像ローラ１７、トナー攪拌用の攪拌ローラ１８等を有して構成される。
【００２５】
トナーカートリッジ５は、現像器１６に対応して設けられており、現像器１６に対して供給されるトナーを収容する。
トナー供給部６は、トナーカートリッジ５及び現像器１６に対応して設けられており、トナーカートリッジ５に収容されたトナーを現像器１６に対して供給する。
【００２６】
転写ローラ８は、感光体ドラム２の表面に現像されたトナー画像を用紙Ｔに転写させる。転写ローラ８は、感光体ドラム２に対して当接した状態で回転可能に構成される。
【００２７】
感光体ドラム２と転写ローラ８との間で、転写ニップＮが形成される。転写ニップＮにおいて、感光体ドラム２に現像されたトナー画像が用紙Ｔに転写される。
除電器１２は、感光体ドラム２の表面に対向して配置される。
ドラムクリーニング部１１は、感光体ドラム２の表面に対向して配置される。
【００２８】
定着装置９は、用紙Ｔに転写されたトナー画像を構成するトナーを溶融及び加圧して、用紙Ｔに定着させる。
定着装置９の詳細については後述する。
【００２９】
次に、給排紙部ＫＨについて説明する。
図１に示すように、装置本体Ｍの下部には、用紙Ｔを収容する１個の給紙カセット５２が配置される。給紙カセット５２には、用紙Ｔが載置される載置板６０が配置される。載置板６０に載置された用紙Ｔは、カセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３とからなる重送防止機構を備える。
【００３０】
装置本体Ｍの上部には、排紙部５０が設けられる。排紙部５０は、第３ローラ対５３により用紙Ｔを装置本体Ｍの外部に排紙する。排紙部５０の詳細については後述する。
【００３１】
用紙Ｔを搬送する搬送路Ｌは、カセット給紙部５１から転写ニップＮまでの第１搬送路Ｌ１と、転写ニップＮから定着装置９までの第２搬送路Ｌ２と、定着装置９から排紙部５０までの第３搬送路Ｌ３と、第３搬送路Ｌ３を上流側から下流側へ搬送する用紙を、表裏反転させて第１搬送路Ｌ１に戻す戻し搬送路Ｌｂとを備える。
【００３２】
また、第１搬送路Ｌ１の途中には、第１合流部Ｐ１及び第２合流部Ｐ２が設けられている。第３搬送路Ｌ３の途中には、第１分岐部Ｑ１が設けられている。
【００３３】
第１搬送路Ｌ１の途中（詳細には、第２合流部Ｐ２と転写ローラ８との間）には、用紙Ｔを検出するためのセンサ（不図示）と、用紙Ｔのスキュー（斜め給紙）補正や画像形成部ＧＫにおけるトナー画像の形成と用紙Ｔの搬送のタイミングを合わせるためのレジストローラ対８０とが配置される。
【００３４】
第３搬送路Ｌ３の端部には、排紙部５０が配設される。排紙部５０は、装置本体Ｍの右側（図１において右側）に向けて開口している。排紙部５０は、第３搬送路Ｌ３を搬送される用紙Ｔを第３ローラ対５３によって装置本体Ｍの外部に排紙する。
【００３５】
排紙部５０における開口側には、排紙集積部Ｍ１が形成される。排紙集積部Ｍ１は、装置本体Ｍの上面（外面）に形成される。
なお、各搬送路の所定位置には用紙検出用のセンサ（不図示）が配置される。
【００３６】
次に、本実施形態のプリンタ１における特徴部分である定着装置９に係る構成について詳細に説明する。図２は、第１実施形態のプリンタ１の定着装置９の各構成要素を説明するための断面図である。図３は、図２に示す加熱ユニット７０を用紙Ｔの搬送方向Ｄ１から視た図である。図４は、第１磁束遮蔽部材７７、第２磁束遮蔽部材７８及び第３磁束遮蔽部材７９に関連する構成を示す模式図である。図５は、本実施形態のプリンタ１における第１磁束遮蔽部材７７、第２磁束遮蔽部材７８及び第３磁束遮蔽部材７９の形状を示す図である。図６は、第１実施形態における第１回転駆動部１５５、第２回転駆動部１５４ａ及び第３回転駆動部１５４ｂに関連する構成を説明する図である。
【００３７】
図７Ａは、第１磁束遮蔽部材７７、第２磁束遮蔽部材７８及び第３磁束遮蔽部材７９の全てが遮蔽位置に位置する場合を説明するための断面図である。図７Ｂは、第１磁束遮蔽部材７７、第２磁束遮蔽部材７８及び第３磁束遮蔽部材７９の全てが非遮蔽位置に位置する場合を説明するための断面図である。
【００３８】
図２に示すように、定着装置９は、加熱回転体９ａと、加熱回転体９ａに圧接（当接）される加圧回転体９ｂと、加熱ユニット７０と、複数の温度センサ９５と、を備える。
【００３９】
加熱回転体９ａは、環状に形成される。加熱回転体９ａは、その周方向である第１周方向Ｒ１に回転可能に構成される。加熱回転体９ａは、後述する加熱ユニット７０を用いることで、電磁誘導を利用した電磁誘導加熱（ＩＨ；ｉｎｄｕｃｔｉｏｎ  ｈｅａｔｉｎｇ）により発熱される。
加熱回転体９ａは、定着側ローラ９２と、定着側ローラ９２の外周面を覆うように配置される加熱回転ベルト９３と、を備える。
【００４０】
図２に示すように、定着側ローラ９２は、円筒状に形成される。定着側ローラ９２は、第１周方向Ｒ１に直交する方向Ｄ２に平行な第１回転軸Ｊ１を中心に、第１周方向Ｒ１に回転可能に構成される。定着側ローラ９２は、第１回転軸Ｊ１方向に延びるように形成される。本実施形態においては、第１周方向Ｒ１に直交する直交方向Ｄ２を「用紙幅方向Ｄ２」ともいう。
【００４１】
定着側ローラ９２は、定着側ローラ本体９２１と、第１回転軸Ｊ１と同軸の不図示の軸部材と、を有する。定着側ローラ本体９２１は、円筒状の金属部材と、金属部材の外周面に形成される弾性層と、を有する。
【００４２】
定着側ローラ９２の軸部材（不図示）は、定着側ローラ本体９２１の両端部から第１回転軸Ｊ１方向の外側それぞれに突出して形成されている。定着側ローラ９２の軸部材（不図示）は、定着装置９のケースやその他の部材により回転可能に支持される。これにより、定着側ローラ９２は、第１回転軸Ｊ１を中心に回転可能となっている。
【００４３】
図２に示すように、加熱回転ベルト９３は、環状（無端ベルト状）に形成される。加熱回転ベルト９３は、第１周方向Ｒ１に回転可能に構成される。加熱回転ベルト９３は、定着側ローラ９２の外周面を覆うように定着側ローラ９２の外周面に沿って配置される。加熱回転ベルト９３の内周面には、定着側ローラ９２の外周面が当接する。加熱回転ベルト９３は、耐熱性を有する。
【００４４】
本実施形態においては、加熱回転ベルト９３は、基材がニッケル等の強磁性材料により形成される。
加熱回転ベルト９３は、後述する加熱ユニット７０の誘導コイル７１により発生される磁束が通る領域に配置されると共に、その基材が強磁性材料により構成されることで、加熱ユニット７０の誘導コイル７１により発生される磁束の磁路を形成する。誘導コイル７１により発生される磁束は、磁路を形成する加熱回転ベルト９３に沿って通過する（導かれる）。
【００４５】
加熱回転ベルト９３には、後述する誘導コイル７１により発生された加熱回転ベルト９３を通過する磁束により、電磁誘導によって渦電流（誘導電流）が発生する。加熱回転ベルト９３には、渦電流が流れることで、加熱回転ベルト９３が有する電気抵抗によりジュール熱が発生する。
【００４６】
加圧回転体としての加圧ローラ９ｂは、円筒状に形成される。加圧ローラ９ｂは、加熱回転体９ａの垂直方向下方側に定着側ローラ９２に対向して配置される。加圧ローラ９ｂは、用紙幅方向Ｄ２に平行な第２回転軸Ｊ２を中心に、加圧ローラ９ｂの周方向である第２周方向Ｒ２に回転可能に構成される。加圧ローラ９ｂは、第２回転軸Ｊ２方向に延びるように形成される。
【００４７】
加圧ローラ９ｂは、その外周面が、加熱回転ベルト９３の外周面（外面）に当接するように配置される。加圧ローラ９ｂは、加熱回転ベルト９３を介して定着側ローラ９２を押圧するように配置される。そして、加圧ローラ９ｂは、加熱回転ベルト９３の一部を、定着側ローラ９２との間に挟み込む。加圧ローラ９ｂは、定着側ローラ９２との間に加熱回転ベルト９３の一部を挟み込んで、加熱回転ベルト９３と定着ニップＦを形成する。定着ニップＦは、用紙Ｔを挟み込むと共に、用紙Ｔを搬送する。
【００４８】
加圧ローラ９ｂは、加圧ローラ本体９４１と、第２回転軸Ｊ２と同軸の不図示の軸部材と、を有する。加圧ローラ本体９４１は、円筒状の金属部材と、金属部材の外周面に形成される弾性層と、弾性層の外周面に形成される離型層と、を有する。
【００４９】
加圧ローラ９ｂの軸部材（不図示）には、加圧ローラ９ｂを回転駆動させる回転駆動部（不図示）が接続される。この回転駆動部により、加圧ローラ９ｂが第２周方向Ｒ２に所定速度で回転駆動されると共に、加圧ローラ９ｂの回転に従動して、加圧ローラ９ｂの外周面に当接する加熱回転ベルト９３が回転される。加熱回転ベルト９３が回転されることにより、加熱回転ベルト９３の内周面に当接する定着側ローラ９２は、加熱回転ベルト９３の回転に従動して回転される。
【００５０】
定着ニップＦに搬送される用紙Ｔは、定着装置９における通紙領域内を通過して搬送された場合に、トナー画像が定着される。「通紙領域」とは、定着ニップＦに搬送される用紙Ｔが加熱回転ベルト９３と加圧ローラ９ｂとに挟まれて通過する領域のことである。用紙Ｔが定着ニップＦに搬送される場合における通紙領域よりも外側の領域を「非通紙領域」という。
【００５１】
図３に示すように、用紙幅方向Ｄ２における最大長さの用紙Ｔが定着ニップＦに搬送される場合における通紙領域として、最大通紙領域９０１を設定する。最大通紙領域９０１は、プリンタ１ごとにそれぞれ設定される。
【００５２】
具体的には、加熱回転ベルト９３の外周面には、図３に示すように、加熱回転ベルト９３における最大通紙領域９０１として、加熱側最大通紙領域９０１ａが形成（設定）される。加圧ローラ９ｂの外周面には、加熱回転ベルト９３の加熱側最大通紙領域９０１ａに対応して、加圧回転体９ｂにおける最大通紙領域９０１として、加圧側最大通紙領域９０１ｂが形成（設定）される。加熱側最大通紙領域９０１ａにおける用紙幅方向Ｄ２に平行な方向の長さを、「最大通紙幅Ｗ１」という。
【００５３】
また、用紙幅方向Ｄ２における最小長さの用紙Ｔが定着ニップＦに搬送される場合の用紙Ｔが通過する通紙領域として、最小通紙領域９０３を設定する。
【００５４】
具体的には、加熱回転ベルト９３の外周面には、加熱回転ベルト９３における最小通紙領域９０３として、加熱側最小通紙領域９０３ａが形成（設定）される。加圧ローラ９ｂの外周面には、加熱回転ベルト９３の加熱側最小通紙領域９０３ａに対応して、加圧側最小通紙領域９０３ｂが形成（設定）される。加熱側最小通紙領域９０３ａにおける用紙幅方向Ｄ２に平行な方向の長さを、「最小通紙幅Ｗ３」という。
【００５５】
また、用紙幅方向Ｄ２における長さが最大長さよりも短く且つ最小長さよりも長い長さである中間長さの用紙Ｔの通紙領域として、中間通紙領域９０２（加熱側中間通紙領域９０２ａ、加圧側中間通紙領域９０２ｂ）を設定する。加熱側中間通紙領域９０２ａの用紙幅方向Ｄ２に平行な方向の長さを、「中間通紙幅Ｗ２」という。
なお、用紙Ｔの通紙領域は、これに制限されず、各サイズの用紙Ｔに対応して適宜設定することができる。
【００５６】
加熱ユニット７０について説明する。図２から図６に示すように、加熱ユニット７０は、誘導コイル７１と、磁性体コア部７２と、回転駆動部７７０と、を備える。誘導コイル７１は、加熱回転ベルト９３の外周面から所定距離だけ離間すると共に、加熱回転ベルト９３の外周面に沿って配置される。誘導コイル７１は、平面視（図２及び図３における上方から視た場合）において、用紙幅方向Ｄ２に長い形状に線材を巻き回して形成される。
誘導コイル７１は、用紙幅方向Ｄ２において加熱回転ベルト９３の長さよりも長く形成される。
【００５７】
誘導コイル７１は、銅製のリッツ線を巻き回して形成される。誘導コイル７１は、加熱回転ベルト９３の垂直方向の上方側の略半周の外周面に対向して配置される。
【００５８】
図２及び図３に示すように、誘導コイル７１は、用紙幅方向Ｄ２に延びるように形成される中央領域７１８を囲むように線材を巻き回して形成される。
【００５９】
本実施形態においては、誘導コイル７１は、耐熱性の樹脂材料により形成された支持部材（図示せず）の上に、線材が巻き回されて固定される。
【００６０】
誘導コイル７１は、不図示の誘導加熱用回路部に接続される。誘導コイル７１には、誘導加熱用回路部から所定周波数の交流電流が印加される。誘導コイル７１は、誘導加熱用回路部から交流電流が印加されることにより、加熱回転ベルト９３を発熱させるための磁束を発生させる。
誘導コイル７１により発生された磁束は、加熱回転ベルト９３及び磁性体コア部７２（後述）により形成される磁束の経路である磁路に導かれる。
【００６１】
磁路は、誘導コイル７１により発生された磁束が第１周回方向Ｒ３ａ及び第２周回方向Ｒ３ｂに周回するように、加熱回転ベルト９３及び磁性体コア部７２（後述）により形成される。第１周回方向Ｒ３ａ及び第２周回方向Ｒ３ｂそれぞれは、誘導コイル７１の内周縁７１１Ａの内側と外周縁７１１Ｂの外側とを通り誘導コイル７１を囲むように周回する方向である。誘導コイル７１により発生された磁束は、磁路を通過する。
【００６２】
誘導コイル７１により発生される磁束は、誘導加熱用回路部（不図示）から所定周波数の交流電流が印加されるため、交流電流のプラス又はマイナスへの周期的な変動により、その大きさ及び方向が変化する。加熱回転ベルト９３には、この磁束の変化により誘導電流（渦電流）が発生する。
【００６３】
図２に示すように、磁性体コア部７２は、第１可動コア部としてのセンターコア部７３と、一対の固定コア部としての上流側アーチコア部７４ａ及び下流側アーチコア部７４ｂと、第２可動コア部としての上流側サイドコア部７５と、第３可動コア部としての下流側サイドコア部７６とを有する。
センターコア部７３の第１コア部材７３９（後述）、上流側アーチコア部７４ａ、下流側アーチコア部７４ｂ、上流側サイドコア部７５の第２コア部材７５１（後述）、下流側サイドコア部７６の第３コア部材７６１（後述）は、例えば、フェライト粉末を焼結して成形される強磁性材料からなるフェライト製の磁性体コアである。
【００６４】
センターコア部７３、上流側アーチコア部７４ａ、上流側サイドコア部７５、加熱回転ベルト９３は、磁路の第１周回方向Ｒ３ａに並んで配置される。また、センターコア部７３、下流側アーチコア部７４ｂ、下流側サイドコア部７６、加熱回転ベルト９３は、磁路の第２周回方向Ｒ３ｂに並んで配置される。
【００６５】
上流側アーチコア部７４ａ及び下流側アーチコア部７４ｂそれぞれは、誘導コイル７１を挟んで加熱回転ベルト９３の外周面に対向して配置される。上流側アーチコア部７４ａ及び下流側アーチコア部７４ｂそれぞれは、用紙Ｔの搬送方向Ｄ１においてセンターコア部７３を挟むようにして、用紙Ｔの搬送方向Ｄ１における上流側及び下流側に対をなして配置される。上流側アーチコア部７４ａ及び下流側アーチコア部７４ｂそれぞれは、加熱回転ベルト９３の周方向に沿うように延びるアーチ状に形成される。
【００６６】
本実施形態においては、上流側アーチコア部７４ａは、図２に示すように、上流側水平部７４６と、上流側傾斜部７４７とを有する。下流側アーチコア部７４ｂは、下流側水平部７４２と、下流側傾斜部７４３とを有する。
【００６７】
また、上流側アーチコア部７４ａ及び下流側アーチコア部７４ｂそれぞれは、図３に示すように、用紙幅方向Ｄ２に所定距離だけ離間して複数配置される。複数の上流側アーチコア部７４ａ及び複数の下流側アーチコア部７４ｂそれぞれは、用紙幅方向Ｄ２に離間して、第１周回方向Ｒ３ａ及び第２周回方向Ｒ３ｂそれぞれにおいて周回する複数の磁路を形成する。
【００６８】
センターコア部７３は、図２に示すように、第１周回方向Ｒ３ａにおいて上流側アーチコア部７４ａと加熱回転ベルト９３との間における磁路、及び、第２周回方向Ｒ３ｂにおいて下流側アーチコア部７４ｂと加熱回転ベルト９３との間における磁路（図７Ｂ参照）を形成する。センターコア部７３は、第１周回方向Ｒ３ａ及び第２周回方向Ｒ３ｂに周回する一対の磁路の共通の磁路として構成される。
センターコア部７３は、中央領域７１８の近傍（誘導コイル７１の内周縁７１１Ａの近傍）に配置される。
【００６９】
センターコア部７３は、加熱回転ベルト９３の外周面から所定距離だけ離間して配置された第１コア部材７３９と、第１コア部材７３９の外周面の一部を覆うように配置される第１磁束遮蔽部材７７と、を有する。
【００７０】
また、図２から図４に示すように、センターコア部７３は、用紙幅方向Ｄ２と平行な第１可動コア回転軸としてのセンターコア回転軸Ｊ３を中心に回転可能に構成される。
センターコア部７３の第１コア部材７３９は、図３及び図４に示すように、センターコア回転軸Ｊ３方向に長い円筒形状で、最大長さの用紙Ｔの最大通紙幅Ｗ１よりも長く形成される。
【００７１】
上流側サイドコア部７５及び下流側サイドコア部７６は、図２に示すように、第１周回方向Ｒ３ａ及び第２周回方向Ｒ３ｂにおいて、複数の上流側アーチコア部７４ａ及び複数の下流側アーチコア部７４ｂそれぞれと加熱回転ベルト９３との間における磁路（図７Ｂ参照）を形成する。
【００７２】
上流側サイドコア部７５及び下流側サイドコア部７６それぞれは、センターコア部７３からみて用紙Ｔの搬送方向Ｄ１に関して上流側及び下流側において、誘導コイル７１の外周縁７１１Ｂの外側の近傍に配置される。
上流側サイドコア部７５は、加熱回転ベルト９３の外周面から所定距離だけ離間して配置される第２コア部材７５１と、第２コア部材７５１の外周面の一部を覆うように配置される第２磁束遮蔽部材７８と、を有する。
【００７３】
下流側サイドコア部７６は、加熱回転ベルト９３の外周面から所定距離だけ離間して配置される第３コア部材７６１と、第３コア部材７６１の外周面（外面）の一部を覆うように配置される第３磁束遮蔽部材７９と、を有する。
上流側サイドコア部７５及び下流側サイドコア部７６それぞれは、誘導コイル７１を挟まずに加熱回転ベルト９３の外周面に対向する。
【００７４】
また、図２から図４に示すように、上流側サイドコア部７５及び下流側サイドコア部７６それぞれは、用紙幅方向Ｄ２と平行な第２可動コア回転軸としての上流側サイドコア回転軸Ｊ４ａ及び第３可動コア回転軸としての下流側サイドコア回転軸Ｊ４ｂを中心に回転可能に構成される。
上流側サイドコア部７５の第２コア部材７５１及び下流側サイドコア部７６の第３コア部材７６１は、図３及び図４に示すように、上流側サイドコア回転軸Ｊ４ａ及び下流側サイドコア回転軸Ｊ４ｂ方向に長い円筒形状で、最大通紙領域９０１に対応する領域よりも長く形成される。
【００７５】
センターコア部７３、上流側サイドコア部７５及び下流側サイドコア部７６それぞれは、図４に示すように、用紙幅方向Ｄ２において、加熱側最大通紙領域９０１ａに対応する最大通紙領域対応領域７３１と、加熱側最小通紙領域９０３ａに対応する最小通紙領域対応領域７３３と、加熱側中間通紙領域９０２ａに対応する中間通紙領域対応領域７３２と、を有する。
【００７６】
第１磁束遮蔽部材７７は、センターコア部７３の第１コア部材７３９の外周面の一部を覆うように配置される。第１磁束遮蔽部材７７は、第１コア部材７３９の外周面に沿って取り付けられている。
第１磁束遮蔽部材７７は、非磁性体材料であり、且つ、導電率が高い導電部材により形成される。第１磁束遮蔽部材７７としては、例えば、無酸素銅などが用いられる。
【００７７】
第１磁束遮蔽部材７７は、その面に垂直な磁束が貫通することによる誘導電流で、貫通した磁束に対して逆方向の磁束を発生させる。そして、第１磁束遮蔽部材７７は、錯交磁束（垂直な貫通磁束）をキャンセルする方向の磁束を発生させることで磁路を通過する磁束を低減させ又は遮蔽する。
【００７８】
図４に示すように、第１磁束遮蔽部材７７は、用紙幅方向Ｄ２において離間して配置される２つの第１遮蔽板７７１、７７１を有する。
なお、以下の説明において、２つの第１遮蔽板７７１、７７１については、２つの第１遮蔽板７７１、７７１が同じ構成であるため、一方の第１遮蔽板７７１について説明する場合がある。
【００７９】
図５に示すように、第１遮蔽板７７１は、平面視で階段状に形成される。第１遮蔽板７７１は、第１最大非通紙領域遮蔽部分７７２と、第１最小非通紙領域遮蔽部分７７３と、第１中間非通紙領域遮蔽部分７７４とを有する。第１最大非通紙領域遮蔽部分７７２、第１最小非通紙領域遮蔽部分７７３及び第１中間非通紙領域遮蔽部分７７４は、第１コア部材７３９の周方向において並んで連続して配置される。
第１磁束遮蔽部材７７は、第１コア部材７３９と一体的にセンターコア回転軸Ｊ３を中心に回転可能に構成される。
【００８０】
第２磁束遮蔽部材７８及び第３磁束遮蔽部材７９それぞれは、上流側サイドコア部７５の第２コア部材７５１の外周面（外面）及び下流側サイドコア部７６の第３コア部材７６１の外周面（外面）の一部を覆うように配置される。
【００８１】
第２磁束遮蔽部材７８及び第３磁束遮蔽部材７９の説明については、主として、第１磁束遮蔽部材７７と異なる点を中心に説明し、第１磁束遮蔽部材７７と同様の構成については、説明を省略する。
【００８２】
図４及び図５に示すように、第２磁束遮蔽部材７８は、上流側サイドコア部７５の用紙幅方向Ｄ２において離間して配置される２つの第２遮蔽板７８１、７８１を有する。第２遮蔽板７８１は、第２最大非通紙領域遮蔽部分７８２と、第２最小非通紙領域遮蔽部分７８３と、第２中間非通紙領域遮蔽部分７８４とを有する。第２磁束遮蔽部材７８は、第２コア部材７５１と一体的に上流側サイドコア回転軸Ｊ４ａを中心に回転可能に構成される。
【００８３】
また、第３磁束遮蔽部材７９は、下流側サイドコア部７６の用紙幅方向Ｄ２において離間して配置される２つの第３遮蔽板７９１、７９１を有する。第３遮蔽板７９１は、第３最大非通紙領域遮蔽部分７９２と、第３最小非通紙領域遮蔽部分７９３と、第３中間非通紙領域遮蔽部分７９４とを有する。第３磁束遮蔽部材７９は、第３コア部材７６１と一体的に下流側サイドコア回転軸Ｊ４ｂを中心に回転可能に構成される。
【００８４】
図４に示すように、回転駆動部７７０は、センターコア部７３をセンターコア回転軸Ｊ３を中心に回転させる第１回転駆動部１５５と、上流側サイドコア部７５を上流側サイドコア回転軸Ｊ４ａを中心に回転させる第２回転駆動部１５４ａと、下流側サイドコア部７６を下流側サイドコア回転軸Ｊ４ｂを中心に回転させる第３回転駆動部１５４ｂと、を有する。
【００８５】
図６に示すように、第１回転駆動部１５５、第２回転駆動部１５４ａ及び第３回転駆動部１５４ｂそれぞれは、回転駆動源１５８と、ギア機構１５６と、を有する。ギア機構１５６には、回転駆動源１５８の出力軸１５８Ａに接続される第１ギア１５６Ａと、第１ギア１５６Ａに噛み合う第２ギア１５６Ｂと、により構成されるウォームギアが用いられる。
【００８６】
第１回転駆動部１５５、第２回転駆動部１５４ａ及び第３回転駆動部１５４ｂそれぞれは、回転駆動源１５８からの回転駆動力をギア機構１５６に伝達することにより、センターコアシャフト７３５、上流側サイドコアシャフト７８５ａ及び下流側サイドコアシャフト７８５ｂそれぞれを回転駆動する。
【００８７】
また、センターコアシャフト７３５、上流側サイドコアシャフト７８５ａ及び下流側サイドコアシャフト７８５ｂそれぞれの一方の端部側には、回転位置検知部１５９が配置される。回転位置検知部１５９は、スリット付ディスク１５９Ａと、回転位置検知センサ１５９Ｂとを備える。
【００８８】
以上のような構成の加熱ユニット７０において、センターコア部７３を回転することにより、第１磁束遮蔽部材７７が加熱回転ベルト９３の外周面に対向して誘導コイル７１からの磁束を低減させ又は遮蔽する第１遮蔽位置（図７Ａ参照）、又は、加熱回転ベルト９３の外周面に対向せずに誘導コイル７１からの磁束を低減せず又は遮蔽しない第１非遮蔽位置（図７Ｂ参照）に位置させることができる。また、上流側サイドコア部７５を回転することにより、第２磁束遮蔽部材７８が加熱回転ベルト９３の外周面に対向して誘導コイル７１からの磁束を低減させ又は遮蔽する第２遮蔽位置（図７Ａ参照）、又は、加熱回転ベルト９３の外周面に対向せずに誘導コイル７１からの磁束を低減せず又は遮蔽しない第２非遮蔽位置（図７Ｂ参照）に位置させることができる。また、下流側サイドコア部７６を回転することにより、第３磁束遮蔽部材７９が加熱回転ベルト９３の外周面に対向して誘導コイル７１からの磁束を低減させ又は遮蔽する第３遮蔽位置（図７Ａ参照）、又は、加熱回転ベルト９３の外周面に対向せずに誘導コイル７１からの磁束を低減せず又は遮蔽しない第３非遮蔽位置（図７Ｂ参照）に位置させることができる。
【００８９】
温度センサ９５は、加熱回転ベルト９３の温度を検知する。図２に示すように、温度センサ９５は、加熱回転ベルト９３の外周面に当接して配置される。
【００９０】
次に、定着装置９の制御に係る構成について説明する。図４に示すように、プリンタ１は、受け付け部１０１と、制御部１１０と、記憶部１２０とを有する。
【００９１】
受け付け部１０１は、用紙Ｔのサイズに関するサイズ情報を含む画像形成指示情報を受け付け可能である。
【００９２】
制御部１１０は、駆動制御部１１１を有する。駆動制御部１１１は、受け付け部１０１に受け付けられた用紙Ｔのサイズ情報に基づいて、後述する記憶部１２０に記憶された情報を参照して、第１磁束遮蔽部材７７の位置を調整するよう第１回転駆動部１５５を制御し、第２磁束遮蔽部材７８の位置を調整するよう第２回転駆動部１５４ａを制御し、第３磁束遮蔽部材７９の位置を調整するよう第３回転駆動部１５４ｂを制御する。駆動制御部１１１は、加熱回転ベルト９３を通る磁束の磁束密度を調整するように、第１回転駆動部１５５、第２回転駆動部１５４ａ及び第３回転駆動部１５４ｂを制御する。
【００９３】
記憶部１２０は、第１回転駆動部１５５、第２回転駆動部１５４ａ及び第３回転駆動部１５４ｂの動作量（回転量）に関する情報を記憶する。
【００９４】
次に、本実施形態の定着装置９を含むプリンタ１の動作について説明する。
まず、受け付け部１０１は、プリンタ１の電源がＯＮの状態において、例えばプリンタ１の外部に配置されている操作部（図示せず）が操作されたことに基づいて発生する画像形成指示情報を受け付ける。
例えば、受け付け部１０１は、最小通紙幅Ｗ３の最小サイズの用紙Ｔ（例えば、Ａ５サイズ縦の用紙Ｔ）を印刷する印刷命令を受け付ける。
【００９５】
これにより、駆動制御部１１１は、最小通紙幅Ｗ３の最小サイズの用紙Ｔ（例えば、Ａ５サイズ縦の用紙Ｔ）に対応して、第１磁束遮蔽部材７７、第２磁束遮蔽部材７８及び第３磁束遮蔽部材７９を配置するように、センターコア部７３、上流側サイドコア部７５及び下流側サイドコア部７６それぞれを回転させる。
【００９６】
具体的には、駆動制御部１１１は、図７Ａに示すように、最小通紙領域９０３に対応する領域（最小通紙領域対応領域７３３）において、第１磁束遮蔽部材７７が第１遮蔽位置に位置するように第１回転駆動部１５５を制御し、第２磁束遮蔽部材７８が第２遮蔽位置に位置するように第２回転駆動部１５４ａを制御し、第３磁束遮蔽部材７９が第３遮蔽位置に位置するように第３回転駆動部１５４ｂを制御する。
また、駆動制御部１１１は、図７Ｂに示すように、最小通紙領域９０３に対応する領域（最小通紙領域対応領域７３３）の外側の領域において、第１磁束遮蔽部材７７が第１非遮蔽位置に位置するように第１回転駆動部１５５を制御し、第２磁束遮蔽部材７８が第２非遮蔽位置に位置するように第２回転駆動部１５４ａを制御し、第３磁束遮蔽部材７９が第３非遮蔽位置に位置するように第３回転駆動部１５４ｂを制御する。
【００９７】
次に、プリンタ１は、印刷動作を開始する。
そして、駆動制御部への電力の供給が開始されると、回転駆動部（不図示）により加圧ローラ９ｂが回転駆動される。加圧ローラ９ｂの回転駆動に伴って加熱回転ベルト９３は、従動して回転される。
【００９８】
次に、定着装置９は、発熱動作を開始する。
これにより、誘導コイル７１には、誘導加熱用回路部（不図示）から交流電流が印加される。誘導コイル７１は、加熱回転ベルト９３を発熱させるための磁束を発生させる。誘導コイル７１により発生される磁束は、その大きさ及び方向が変化する。
【００９９】
ここで、Ａ５サイズ縦（最小通紙幅Ｗ３）の用紙Ｔの通紙領域においては、磁路を通過する磁束の大きさと方向が変化することにより、加熱回転ベルト９３の垂直方向の上方側の部分には、電磁誘導により渦電流（誘導電流）が発生する。加熱回転ベルト９３には、渦電流が流れることで、加熱回転ベルト９３が有する電気抵抗によりジュール熱が発生する。
【０１００】
また、Ａ５サイズ縦（最小通紙幅Ｗ３）の用紙Ｔの非通紙領域においては、図７Ａに示すように、第１磁束遮蔽部材７７、第２磁束遮蔽部材７８及び第３磁束遮蔽部材７９の全ては、錯交磁束（垂直な貫通磁束）をキャンセルする磁束を発生させることで磁路を通過する磁束の略全部を遮蔽する。つまり、用紙Ｔの非通紙領域においては、第１磁束遮蔽部材７７、第２磁束遮蔽部材７８及び第３磁束遮蔽部材７９のうちのいずれかが遮蔽位置に位置して磁束を遮蔽するよりも遮蔽効果が高く、効率よく誘導コイル７１からの磁束を遮蔽することができる。これにより、用紙Ｔの非通紙領域において、加熱回転ベルト９３の温度が過度に上昇されることを効率よく抑制することができる。
【０１０１】
次に、加熱回転ベルト９３は、定着ニップＦにおいて所定の定着温度に加熱される。
加熱回転ベルト９３の回転により、加熱回転ベルト９３の電磁誘導加熱（ＩＨ）により発熱された部分は、定着装置９の加熱回転ベルト９３と加圧ローラ９ｂとにより形成される定着ニップＦに向けて順次移動される。
定着装置９は、定着ニップＦにおいて、所定の温度になるように、誘導加熱用回路部（不図示）を制御している。
【０１０２】
そして、トナー画像が形成された用紙Ｔは、定着装置９の定着ニップＦに導入される。そして、定着ニップＦにおいて、トナーが溶融し、トナーが用紙Ｔに定着される。
【０１０３】
本実施形態のプリンタ１によれば、例えば、次のような効果が奏される。
本実施形態のプリンタ１においては、第１磁束遮蔽部材７７、第２磁束遮蔽部材７８及び第３磁束遮蔽部材７９それぞれの位置を調整するよう第１回転駆動部１５５、第２回転駆動部１５４ａ及び第３回転駆動部１５４ｂを制御することにより、加熱回転ベルト９３を通る磁束の磁束密度を調整して加熱回転ベルト９３を通る磁束を適正に低減させ又は遮蔽することができる。これにより、用紙Ｔの非通紙領域において、加熱回転ベルト９３の温度が過度に上昇されることを抑制することができる。
特に、第１磁束遮蔽部材７７、第２磁束遮蔽部材７８及び第３磁束遮蔽部材７９の全てで磁束を遮蔽する場合には、遮蔽効果が高く、効率よく磁束を遮蔽することができる。
【０１０４】
また、センターコア部７３、上流側サイドコア部７５及び下流側サイドコア部７６の回転を制御する簡易な構成により、用紙Ｔの非通紙領域において、加熱回転ベルト９３の温度が過度に上昇されることを抑制することができる。
【０１０５】
次に、本発明の第２実施形態及び第３実施形態について説明する。第２実施形態及び第３実施形態については、主として、第１実施形態とは異なる点を中心に説明し、第２実施形態及び第３実施形態において特に説明しない点は、第１実施形態についての説明が適宜適用又は援用される。
【０１０６】
図８は、第２実施形態のプリンタ１の定着装置９の各構成要素を説明するための断面図である。
第２実施形態においては、定着装置９における用紙Ｔの搬送方向Ｄ１の下流側に、第１実施形態で説明した下流側サイドコア部７６の代わりに固定サイドコア７６を配置している点、及び第３回転駆動部１５４ｂを有していない点において、第１実施形態の定着装置９とは異なる。
【０１０７】
図８に示すように、第２実施形態においては、定着装置９における用紙Ｔの搬送方向Ｄ１の下流側に、固定サイドコア部７６Ａが配置される。固定サイドコア部７６Ａは、用紙幅方向Ｄ２に長い略直方体形に形成される。
【０１０８】
固定サイドコア部７６Ａは、例えば、フェライト製の磁性体コアである。固定サイドコア部７６Ａは、下流側アーチコア部７４ｂと共に、第２周回方向Ｒ３ｂにおいて周回する磁路を形成する。
【０１０９】
また、第２実施形態における駆動制御部１１１は、センターコア部７３における第１磁束遮蔽部材７７の位置を調整するよう第１回転駆動部１５５を制御すると共に、上流側サイドコア部７５における第２磁束遮蔽部材７８の位置を調整するよう第２回転駆動部１５４ａを制御する。
【０１１０】
第２実施形態のプリンタ１において、センターコア部７３及び上流側サイドコア部７５の動作及び作用は、第１実施形態と同様であるため、第１実施形態のプリンタ１の動作及び作用の説明を援用して説明を省略する。
【０１１１】
第２実施形態のプリンタ１によれば、第１実施形態で示す効果を有すると共に、第１実施形態で示す効果の他に、次のような効果が奏される。
第２実施形態のプリンタ１においては、第１実施形態と同様の効果を有しつつ、用紙Ｔの搬送方向Ｄ１の下流側サイドコア７６の構成を簡易にすることができる。また、第３磁束遮蔽部材７９の材料に要するコストを低減することができる。
【０１１２】
次に、本発明の第３実施形態について説明する。図９は、第３実施形態のプリンタ１の定着装置９の各構成要素を説明するための断面図である。
第３実施形態においては、加熱回転体９ａの構成が第１実施形態の定着装置９とは異なる。
【０１１３】
図９に示すように、第３実施形態の加熱回転体９ａは、加熱側ローラ９１と、加熱側ローラ９１から所定距離だけ離間（垂直方向下方側に離間）して配置される定着側ローラ９２と、加熱側ローラ９１と定着側ローラ９２とに掛け渡された加熱回転ベルト９３と、を備える。
【０１１４】
第３実施形態のプリンタ１についての動作及び作用は、第１実施形態と同様であるため、第１実施形態のプリンタ１の動作及び作用の説明を援用して説明を省略する。
第３実施形態のプリンタ１によれば、第１実施形態で示した効果と同様な効果が奏される。
【０１１５】
以上、好適な実施形態について説明したが、本発明は前述した実施形態に限定されることなく種々の形態で実施することができる。
【０１１６】
例えば、前述の実施形態においては、駆動制御部１１１は、加熱回転ベルト９３を通る磁束の磁束密度を調整するように制御しているが、これに制限されず、温度センサ９５により検知された温度に基づいて制御してもよい。
【０１１７】
本発明の画像形成装置の種類は、特に限定がなく、プリンタ以外に、コピー機、ファクシミリ、又はこれらの複合機などであってもよい。
シート状の被転写材は、用紙に制限されず、例えば、フィルムシートであってもよい。
【符号の説明】
【０１１８】
１……プリンタ（画像形成装置）、２……感光体ドラム（像担持体）、８……転写ローラ（転写部）、９……定着装置、９ａ……加熱回転体、９ｂ……加圧回転体（加圧ローラ）、１６……現像器、７１……誘導コイル、７２……磁性体コア部、７３……センターコア部（第１可動コア部）、７４ａ……上流側アーチコア部（固定コア部）、７４ｂ……下流側アーチコア（固定コア部）、７５……上流側サイドコア部（第２可動コア部）、７６……下流側サイドコア部（第３可動コア部）、７７……第１磁束遮蔽部材、７８……第２磁束遮蔽部材、７９……第３磁束遮蔽部材、１０１……受け付け部、１１１……駆動制御部、１５４ａ……第２回転駆動部、１５４ｂ……第３回転駆動部、１５５……第１回転駆動部、７３９……第１コア部材、７５１……第２コア部材、７６１……第３コア部材、Ｄ２……用紙幅方向（直交方向）、Ｆ……定着ニップ、Ｊ１……第１回転軸、Ｊ２……第２回転軸、Ｊ３……センターコア回転軸（第１可動コア回転軸）、Ｊ４ａ……上流側サイドコア回転軸（第２可動コア回転軸）、Ｊ４ｂ……下流側サイドコア回転軸（第３可動コア回転軸）、Ｔ……用紙（被転写材）
【図１】
2012068283.tif 000003
【図２】
2012068283.tif 000004
【図３】
2012068283.tif 000005
【図４】
2012068283.tif 000006
【図５】
2012068283.tif 000007
【図６】
2012068283.tif 000008
【図７Ａ】
2012068283.tif 000009
【図７Ｂ】
2012068283.tif 000010
【図８】
2012068283.tif 000011
【図９】
2012068283.tif 000012